(57)【特許請求の範囲】
【請求項１】
背負い鞄（１）の背板（２）に固定するケース（３）と、ケース（３）に軸支したアーム（４ａ，４ｂ）と、アーム（４ａ，４ｂ）と背負いベルト（５ａ，５ｂ）とを繋ぐ連結部材（６ａ，６ｂ）とを備え、連結部材（６ａ，６ｂ）は、アーム（４ａ，４ｂ）に挿通する横辺部（７）と、背負いベルト取付部（８）と、横辺部（７）と背負いベルト取付部（８）を繋ぐ縦辺部（９）とを有し、アーム（４ａ，４ｂ）は、連結部材（６ａ，６ｂ）の横辺部（７）を挿通する挿通部（１０）と、連結部材（６ａ，６ｂ）を背負い鞄（１）側から前側に回動したときに連結部材（６ａ，６ｂ）の縦辺部（９）とスナップ式に嵌合するスナップ嵌合部（１１）とを有し、スナップ嵌合部（１１）の弾性により連結部材（６ａ，６ｂ）を前側に所定の角度だけ倒れた向きで保持できるようにしたことを特徴とする背負いベルト取付具。
【請求項２】
ランドセル本体（１）と、背負いベルト（５ａ，５ｂ）と、背負いベルト（５ａ，５ｂ）の上端部をランドセル本体（１）に取付ける背負いベルト取付具（１２）とを備え、背負いベルト取付具（１２）は、ランドセル本体（１）の背板（２）に固定するケース（３）と、ケース（３）に軸支したアーム（４ａ，４ｂ）と、アーム（４ａ，４ｂ）と背負いベルト（５ａ，５ｂ）とを繋ぐ連結部材（６ａ，６ｂ）とを備え、連結部材（６ａ，６ｂ）は、アーム（４ａ，４ｂ）に挿通する横辺部（７）と、背負いベルト取付部（８）と、横辺部（７）と背負いベルト取付部（８）を繋ぐ縦辺部（９）とを有し、アーム（４ａ，４ｂ）は、連結部材（６ａ，６ｂ）の横辺部（７）を挿通する挿通部(１０)と、連結部材（６ａ，６ｂ）をランドセル本体（１）側から前側に回動したときに連結部材（６ａ，６ｂ）の縦辺部（９）とスナップ式に嵌合するスナップ嵌合部（１１）とを有し、スナップ嵌合部（１１）の弾性により連結部材（６ａ，６ｂ）を前側に所定の角度だけ倒れた向きで保持できるようにしたことを特徴とするランドセル。
【発明の詳細な説明】
【技術分野】
【０００１】
本発明は、背負い鞄（特にランドセル）の背負いベルト上端部の取付具、及びこれを用いるランドセルに関する。
【背景技術】
【０００２】
従来のランドセルは、図９に示すように、背負いベルト５ａ，５ｂの上端部が、略三角形のリング状となった取付環９０に回動自在に連結されている。また、取付環９０も水平方向の軸を支点として上下に回動自在となっている。したがって背負いベルト５ａ，５ｂは、その上側の付け根が上下に移動すると共に、背負いベルトの向きが自由に変わることとなっていた。
【０００３】
しかし、背負いベルトの付け根がそのようにぐらぐらの状態だと、図８（ｂ）に示すように、ランドセルを背中に担いだ時にランドセル本体１が下に垂れ下がるような格好になることから、ランドセルがより重く感じられることがあった。また、ランドセルを担ぐ際に背負いベルト５ａ，５ｂに腕を通し難く、担ぎづらいという欠点もある。特に腕を片方ずつ背負いベルトに通す場合に、後から通す方の腕が通しづらい。
【０００４】
上記不都合を解消するため、本出願人は特許文献１に開示される背負いベルト取付具を開発した。特許文献１の図１〜図３記載の背負いベルト取付具は、背負い鞄の背板に固定されるケース体に二本の揺動アーム４を左右対称に備え、揺動アーム４に背負いベルト７上端部が略三角形のリング状の取付環５を介して連結してあり、揺動アーム取付環５の挿通部６の端部に回動規制部８ａ，８ｂを設けて、取付環５が垂直方向から前側（背中側）に約２５°傾いた角度で固定されるようにしている。そのように、取付環を前側に傾いた斜め上向きの角度で固定することで、特許文献１の段落[００１２]に記載されているように、背負いベルトの付け根が上向きに保持され、背負いベルト７とランドセルの背板２が肩と背中によりフィットするとともに、ランドセルの重心が若干上に上がるため、ランドセルが軽く感じられるようになり、ランドセルを担いだ時の疲労が和らげられる。また、ランドセルを担ぐ際に、背負いベルトに腕を通しやすくなる。
一方、ランドセルを出荷時に箱詰めする際には、背負いベルトは裏返してランドセルの周りに巻くようにしている。このとき、上記のように取付環が前側に傾いた斜め上向きの角度で固定されていると、背負いベルトの付け根がランドセルから浮き上がって無理に曲げられることとなり、背負いベルトに折り目が付いたりするので好ましくない。
【０００５】
更に、特許文献１の図４には、回動規制部８ａ，８ｂにより、取付環５が前側に２５°、後側（ランドセル側）５０°の範囲で回動するようにしたものが記載されている。これによれば、ランドセルを背中に担いだときに背負いベルトの付け根が上向きに保持され、上述のものと同様な効果が得られることに加え、ランドセルを箱詰めするときには、取付環が後側に倒れて背負いベルトの付け根がランドセルに密着する。
しかし、取付環５が一定の角度範囲で回動できる構成となっていることで、走ったりしてランドセルが上下に動いたときなどに、回動規制部８ａ，８ｂと取付環５との間に髪の毛が挟まることがあった。
【特許文献１】特許第３５２４５４７号公報
【発明の開示】
【発明が解決しようとする課題】
【０００６】
本発明は以上に述べた実情に鑑み、通常の使用状態で背負いベルトの付け根を上向きに保持し且つ髪の毛が挟まるのを防止でき、さらに必要に応じて背負いベルトの付け根を背負い鞄に密着させることのできる背負いベルト取付具、及びランドセルの提供を目的とする。
【課題を解決するための手段】
【０００７】
上記の課題を達成するために本発明の背負いベルト取付具は、背負い鞄の背板に固定するケースと、ケースに軸支したアームと、アームと背負いベルトとを繋ぐ連結部材とを備え、連結部材は、アームに挿通する横辺部と、背負いベルト取付部と、横辺部と背負いベルト取付部を繋ぐ縦辺部とを有し、アームは、連結部材の横辺部を挿通する挿通部と、連結部材を背負い鞄側から前側に回動したときに連結部材の縦辺部とスナップ式に嵌合するスナップ嵌合部とを有し、スナップ嵌合部の弾性により連結部材を前側に所定の角度だけ倒れた向きで保持できるようにしたことを特徴とする。
【０００８】
本発明のランドセルは、ランドセル本体と、背負いベルトと、背負いベルトの上端部をランドセル本体に取付ける背負いベルト取付具とを備え、背負いベルト取付具は、ランドセル本体の背板に固定するケースと、ケースに軸支したアームと、アームと背負いベルトとを繋ぐ連結部材とを備え、連結部材は、アームに挿通する横辺部と、背負いベルト取付部と、横辺部と背負いベルト取付部を繋ぐ縦辺部とを有し、アームは、連結部材の横辺部を挿通する挿通部と、連結部材をランドセル本体側から前側に回動したときに連結部材の縦辺部とスナップ式に嵌合するスナップ嵌合部とを有し、スナップ嵌合部の弾性により連結部材を前側に所定の角度だけ倒れた向きで保持できるようにしたことを特徴とする。
【発明の効果】
【０００９】
本発明の背負いベルト取付具は、通常の使用状態では、連結部材の縦辺部がアームに設けたスナップ嵌合部に嵌合することで、スナップ嵌合部の弾性により連結部材が前側に所定の角度だけ倒れた向きで保持され、これにより背負いベルトの付け根が上向きに保持され、背負いベルトと背負い鞄の背板が肩と背中にフィットして背負い鞄が軽く感じられるようになり、尚且つ縦辺部がアームのスナップ嵌合部に嵌合していることで連結部材がぐらつかないため、連結部材とアームとの間に髪の毛が挟まることを防止できる。さらに、背負い鞄を箱詰めする際などには、連結部材を背負い鞄側に倒し、背負いベルトの付け根を背負い鞄に密着させることができる。
【００１０】
本発明のランドセルは、通常の使用状態で、連結部材の縦辺部がアームに設けたスナップ嵌合部に嵌合することで、スナップ嵌合部の弾性により連結部材が前側に所定の角度だけ倒れた向きで保持され、これにより背負いベルトの付け根が上向きに保持され、背負いベルトとランドセル本体の背板が肩と背中にフィットしてランドセルが軽く感じられるようになり、尚且つ縦辺部がアームのスナップ嵌合部に嵌合していることで連結部材がぐらつかないため、連結部材とアームとの間に髪の毛が挟まることを防止できる。さらに、ランドセルを箱詰めする際などには、連結部材をランドセル側に倒し、背負いベルトの付け根をランドセルに密着させることができる。
【発明を実施するための最良の形態】
【００１１】
以下、本発明の実施の形態を図面に基づいて説明する。図３は、本発明の背負いベルト取付具１２の一実施形態を示す正面図であり、図４はその側面図であり、図１と図２はこれをランドセルに取り付けた状態で示す斜視図であって、図１がランドセルの通常の使用状態、図２がランドセルを箱詰めするときの状態を示している。
【００１２】
背負いベルト取付具１２は、ランドセル本体１の背板２に固定するケース３と、ケース３に軸支した２本のアーム４ａ，４ｂと、アーム４ａ，４ｂと背負いベルト５ａ，５ｂとを繋ぐ連結部材６ａ，６ｂと、ランドセルを吊具に引っ掛けて吊下げるための吊下げ環１３とを備えている。
ケース３は、ベース板１４と蓋体１５とにより構成され、図４に示すように、ランドセル本体１の背板２の上部にネジ１６で固定される。
２本のアーム４ａ，４ｂは、左右対称に形成してあり、図３に示すように、各アーム４ａ，４ｂはケース３内に収納される円板状の収納部１７と、収納部１７から上方に突出して設けた腕部１８とを有し、収納部１７の中心に設けた孔１９にベース板１４に突出形成した軸部２０を差し込んで揺動可能に軸支してある。アーム４ａ，４ｂは、ケース３内に取付けた捩りバネ２１，２１により、互いに近づく方向に付勢されている。このように、アーム４ａ，４ｂがバネで付勢して揺動可能にケース３に取付けてあることで、体が成長して肩幅が広くなっても、それに追従して左右の背負いベルト５ａ，５ｂの付け根の間隔が広がる。また、アーム４ａ，４ｂの収納部１７が円板状に形成してあり、収納部１７の円弧部をケース３上面の開口縁部２２に近接させているので、アーム４ａ，４ｂが揺動してもアーム４ａ，４ｂとケース３との間に髪の毛が挟まることを防止できる。アーム４ａ，４ｂは、硬質樹脂により一体成形されている。
【００１３】
連結部材６ａ，６ｂは、金属の丸棒を折り曲げて、横辺部７と、斜辺部２５と、縦辺部９とを有する略三角形のリング状に形成してあり、横辺部７をアーム４ａ，４ｂの腕部１８に設けた横長の円筒状の挿通部１０に両側から差し込んで取付けてある。挿通部１０の縦辺部９側の端部には、図６と図７に示すように、縦辺部９の周囲を囲むように湾曲して延び且つランドセル本体１側に開口部２３を形成するように設けたスナップ嵌合片１１を有している。開口部２３の開口幅は、縦辺部９の直径よりも小さくなっている。図５（ａ）に示すように、連結部材６ａ，６ｂを、図中に仮想線で示すランドセル本体１側に倒れた状態から前側に回動させると、スナップ嵌合片１１がその弾性により縦辺部９にパチンとスナップ式に嵌合し、連結部材６ａ，６ｂは図中に実線で示すように、垂直方向から前側に約２５°倒れた向きで保持される。
【００１４】
連結部材６ａ，６ｂの斜辺部２５は、中間部を略Ｕ字状に折り曲げて鋲挿通部２４を設けてあり、斜辺部２５と鋲挿通部２４とで背負いベルト取付部８を形成している。背負いベルト５ａ，５ｂは、図３に示すように、上端部を連結部材６ａ，６ｂの斜辺部２５の内側に通して折り返し、重なった部分を鋲２６で止めることで連結部材６ａ，６ｂに取付けられ、鋲２６が前記鋲挿通部２４に挿通していることで、背負いベルト５ａ，５ｂの端部は背負いベルト取付部８に回動不能に固定される。
【００１５】
以上に述べたように、連結部材６ａ，６ｂは縦辺部９がアーム４ａ，４ｂのスナップ嵌合片１１に嵌合することで上向きの一定の角度に保持され、尚且つ連結部材６ａ，６ｂの背負いベルト取付部８に背負いベルト５ａ，５ｂ上端部を固定して取付けているので、図１に示すように、背負いベルト５ａ，５ｂの付け根が上向きに保持される。これにより、図８（ａ）に示すように、背負いベルト５ａ，５ｂとランドセル本体１の背板２が肩と背中にフィットするとともに、ランドセル本体１の重心が若干上に上がるため、ランドセルが軽く感じられるようになり、ランドセルを担いだ時の疲労が和らげられる。また、背負いベルト５ａ，５ｂの付け根が上向きに保持されていることで、背負いベルト５ａ，５ｂに腕を通しやすく、ランドセルが担ぎ易くなる。しかも、連結部材６ａ，６ｂの縦辺部９がアーム４ａ，４ｂのスナップ嵌合片１１に嵌合していることで連結部材６ａ，６ｂがぐらつかないため、連結部材６ａ，６ｂとアーム４ａ，４ｂとの間に髪の毛が挟まるのを防止できる。
【００１６】
また、背負いベルト５ａ，５ｂの付け根をランドセル本体１側に向けて押すと、図２に示すように、縦辺部９がスナップ嵌合片１１から外れて連結部材６ａ，６ｂがランドセル本体１側に倒れ、背負いベルト５ａ，５ｂの付け根をランドセル本体１に密着させることができる。この状態でランドセルを箱詰めすることで、背負いベルト５ａ，５ｂに折り目やキズが付いたりすることを防止できる。なお、ランドセルを箱から出して使用を開始するときには、背負いベルト５ａ，５ｂの付け根を前側に引っ張るだけで、連結部材６ａ，６ｂの縦辺部９がスナップ嵌合片１１に嵌合して、連結部材６ａ，６ｂが固定される。
【００１７】
本発明は以上に述べた実施形態に限定されない。アーム４ａ，４ｂや連結部材６ａ，６ｂ等の形状や材質等は適宜変更することができる。連結部材６ａ，６ｂは、樹脂製の四角いリング状のものであってもよい。連結部材６ａ，６ｂの横辺部７は、別体で形成したピンであってもよい。スナップ嵌合部１１は、連結部材６ａ，６ｂの縦辺部９の形状に合わせて適宜形成し、連結部材６ａ，６ｂを背負い鞄側から前側に回動したときに弾性により縦辺部９がパチンと嵌まり、背負い鞄の通常の使用状態で縦辺部９が不用意に外れない程度の力で保持できればよい。スナップ嵌合部１１は、アーム本体に取付けた別体の部品により形成することもできる。本発明の背負いベルト取付具１２は、ランドセル以外の背負い鞄に用いることもできる。
【図面の簡単な説明】
【００１８】
【図１】通常の使用状態におけるランドセルの背負いベルト付け根部分の斜視図である。
【図２】ランドセルの箱詰め時における背負いベルト付け根部分の斜視図である。
【図３】背負いベルトの付け根部分の正面図である。
【図４】背負いベルト取付具の側面図である。
【図５】（ａ）は右側アームと連結部材の左側面図、（ｂ）は同正面図、（ｃ）は右側面図である。
【図６】図５（ａ）のＸ矢視図である。
【図７】右側アームと連結部材の後面図である。
【図８】（ａ）は本発明の背負いベルト取付具を用いたランドセルを背中に担いだときの状態を示す側面図であり、（ｂ）は従来のランドセルを背中に担いだときの状態を示す側面図である。
【図９】従来ランドセルの背負いベルトの付け根部分を示す斜視図である。
【符号の説明】
【００１９】
１  ランドセル本体（背負い鞄）
２  背板
３  ケース
４ａ，４ｂ  アーム
５ａ，５ｂ  背負いベルト
６ａ，６ｂ  連結部材
７  横辺部
８  背負いベルト取付部
９  縦辺部
１０  挿通部
１１  スナップ嵌合片（スナップ嵌合部）
【図１】
0004542060.tif 000002
【図２】
0004542060.tif 000003
【図３】
0004542060.tif 000004
【図４】
0004542060.tif 000005
【図５】
0004542060.tif 000006
【図６】
0004542060.tif 000007
【図７】
0004542060.tif 000008
【図８】
0004542060.tif 000009
【図９】
0004542060.tif 000010